(57)【要約】      （修正有）【課題】交換可能な化粧品塗布器を提供するものであり、他人が使用した化粧品塗布器を新たな塗布器に交換して使用できる化粧品塗布器を提供する。【解決手段】人の肌に塗布する化粧剤が収納された化粧剤収納部３のキャップと、該キャップに圧入して取り付けられ、上記化粧剤収納部３に上記キャップを締着することによって、先端に設けられた塗布部に上記化粧剤を付着させる塗布棒と、を有する化粧剤塗布器とする。【選択図】図１
2014180507.tif 000002
【特許請求の範囲】
【請求項１】
人の肌に塗布する化粧剤が収納された化粧剤収納部のキャップと、
該キャップに圧入して取り付けられ、前記化粧剤収納部に前記キャップを締着することによって、先端に設けられた塗布部に前記化粧剤を付着させる塗布棒と、
を有することを特徴とする化粧剤塗布器。
【請求項２】
人の肌に塗布する化粧剤が収納された化粧剤収納部と、
化粧剤収納部のキャップと、
該キャップに圧入して取り付けられ、前記化粧剤収納部に前記キャップを締着することによって、先端に設けられた塗布部に前記化粧剤を付着させる塗布棒と、
を有することを特徴とする化粧品。
【請求項３】
前記請求項２において、前記化粧品はコンシーラであることを特徴とする。
【請求項４】
人の肌に塗布する化粧剤が収納された化粧剤収納部に螺着され、先端部に塗布部を有し、前記化粧剤収納部に螺着した際、前記化粧剤収納部を開口し、前記化粧剤収納部に収納された化粧剤を前記塗布部に導くことを特徴とする化粧剤塗布器。
【請求項５】
人の肌に塗布する化粧剤が収納された化粧剤収納部と、
該化粧剤収納部に螺着され、先端部に塗布部を有し、前記化粧剤収納部に螺着した際、前記化粧剤収納部を開口し、前記化粧剤収納部に収納された化粧剤を前記塗布部に導く化粧剤塗布器と、
を有することを特徴とする化粧品。
【請求項６】
前  記請求項５において、前記化粧品はアイシャドウであることを特徴とする。
【請求項７】
人の肌に塗布する化粧剤が収納された化粧剤収納部に圧入され、先端部に塗布部を有し、前記化粧剤収納部に圧入した際、前記化粧剤収納部に収納された化粧剤を前記塗布部に導くことを特徴とする化粧剤塗布器。
【請求項８】
人の肌に塗布する化粧剤が収納された化粧剤収納部と、
該化粧剤収納部に圧入され、先端部に塗布部を有し、前記化粧剤収納部に圧入した際、前記化粧剤収納部に収納された化粧剤を前記塗布部に導く化粧剤塗布器と、
を有することを特徴とする化粧品。
【請求項９】
前記請求項７において、前記化粧品はエリアマットティークスであることを特徴とする。
【発明の詳細な説明】
【技術分野】
【０００１】
本発明は、利用者の体に化粧品を塗布する化粧品塗布器に関する。
【背景技術】
【０００２】
今日多くの化粧品が販売されており、例えばリップグロス、マスカラ、リップライナー、コンシーラ、ファンデーション、アイシャドウ、アイライナー等の化粧剤が化粧品ユニットに収納され、販売されている。化粧品ユニットは、液体や粉状のパウダーを保管する容器であり、塗布器を使用して利用者の体に化粧品ユニットに収納されたパウダーや液状化粧剤を塗る。
【０００３】
特許文献１に係る発明は、１つの化粧品塗布器によって異なる化粧剤が収納された複数の化粧品ユニットに使用可能なマルチ化粧品塗布器を提案する。
【０００４】
【先行技術文献】
【特許文献】
【０００５】
【特許文献１】特表２０１１−５２７５９７号公報
【発明の概要】
【発明が解決しようとする課題】
【０００６】
しかしながら、化粧品塗布器を使用する場合、塗布器の先端に設けられたれたスポンジ部を利用者の肌に直接当て、塗布する。このため、人によっては他人が使った化粧品塗布器の使用を嫌う場合がある。また、上記特許文献１に記載されたマルチ化粧品塗布器についても同様であり、１つの化粧品塗布器を複数の化粧品ユニットに使用する塗布器であり、複数人が同じ化粧品塗布器を使用することは好ましくない。
【０００７】
そこで、本発明は交換可能な化粧品塗布器を提供するものであり、他人が使用した化粧品塗布器を新たな塗布器に交換して使用できる化粧品塗布器を提供するものである。
【課題を解決するための手段】
【０００８】
上記課題は第１の発明によれば、人の肌に塗布する化粧剤が収納された化粧剤収納部のキャップと、該キャップに圧入して取り付けられ、前記化粧剤収納部に前記キャップを締着することによって、先端に設けられた塗布部に前記化粧剤を付着させる塗布棒とを有する化粧剤塗布器を提供することによって達成できる。
【０００９】
また、上記課題は第２の発明によれば、人の肌に塗布する化粧剤が収納された化粧剤収納部に螺着され、先端部に塗布部を有し、前記化粧剤収納部に螺着した際、前記化粧剤収納部を開口し、前記化粧剤収納部に収納された化粧剤を前記塗布部に導く化粧剤塗布器を提供することによって達成できる。
【００１０】
さらに、上記課題は第３の発明によれば、人の肌に塗布する化粧剤が収納された化粧剤収納部に圧入され、先端部に塗布部を有し、前記化粧剤収納部に圧入した際、前記化粧剤収納部に収納された化粧剤を前記塗布部に導く化粧剤塗布器を提供することによって達成できる。
【発明の効果】
【００１１】
本発明によれば、他人が使用する際、使用済みの化粧品塗布器を取り外し、新しい塗布器を使用して化粧剤を顔や眉毛に塗ることができ、人々の間で同じ化粧印を使用することができ、しかも他人への貸し借りも躊躇なく行うことができる化粧品塗布器を提供することができる。
【図面の簡単な説明】
【００１２】
【図１】第１の実施形態の化粧品塗布器が化粧品ユニットに取り付けられたコンシーラの例を示す図である。
【図２】化粧剤収納部と、化粧剤収納部に締着した塗布器を外した状態を示す図である。
【図３】化粧剤収納部の上部外周は雌ねじが形成され、塗布器の取手内部に形成された雄ねじに嵌入する構成である。
【図４】第２の実施形態の化粧品塗布器が化粧品ユニットに取り付けられたアイシャドウの例を示す図である。
【図５】化粧品ユニットからキャップ（蓋）を外した状態を示す図である。
【図６】化粧品ユニットの模式図である。
【図７】第３の実施形態の化粧品塗布器が化粧品ユニットに取り付けられたエリアマットティークスの例を示す図である。
【図８】化粧品ユニットからキャップ（蓋）を取り外した状態を示す図である。
【図９】化粧品ユニットの模式図である。
【発明を実施するための形態】
【００１３】
以下、本発明の実施形態を図面に基づいて詳細に説明する。
（第１の実施形態）
図１は本実施形態の化粧品塗布器が化粧品ユニットに取り付けられたコンシーラの例を示す。コンシーラは気になるシミやクマ、ニキビ跡等を自然にカバーする化粧品であり、本例においてはリキッドタイプのコンシーラについて説明する。同図に示すように、本例のコンシーラ１は塗布器２と化粧剤収納部３で構成されている。化粧剤収納部３にはシミやニキビ跡等を隠す化粧剤が収納されており、例えばミネラルオイルや、グリセリン、エタノール、ローヤルゼリーエキス等の成分が配合されている。
【００１４】
図２は上記化粧剤収納部３と、化粧剤収納部３に締着した塗布器２を外した状態を示す図である。同図に示すように、塗布器２は取手４と塗布棒５で構成されている。塗布棒５は取手４に取り付けられ、塗布棒５の先端は利用者の肌に化粧剤を塗布する塗布部６が設けられている。この塗布部６は、例えばラバースポンジや布、樹脂、紙等で構成され、表面に斜めの加工を施すことによって、細かい部分にも又広い部分にも効率よく化粧剤を塗ることができる。
【００１５】
また、化粧剤収納部３の上部外周は雄ねじ８が形成され、塗布器２の取手４内部に形成された雌ねじ９に嵌入する構成である。すなわち、塗布器２を化粧剤収納部３に収納する際、この構成を使用して塗布器２を化粧剤収納部３に締着する。
【００１６】
図３は塗布器２の断面構成を示す図であり、取手４に塗布棒５を取り付ける構造を示す図である。同図に示すように、塗布棒５は取手４に取り付けられ、塗布棒５は取手４に形成された凹部４´に圧入によって取り付けられている。具体的には、取手４に形成された凹部４´の内径Ｌ２を塗布棒５の外径Ｌ１より少し小さく設計することによって塗布棒５を取手４に取り付けている。したがって、本例で使用する塗布器２は取手４に対して抜き差し可能な構成であり、使い捨ての塗布棒５を複数用意することによって、複数人が使用することが可能である。
【００１７】
例えば、新品のコンシーラ１を購入し、初めから取り付けられている塗布棒５を使用してシミやニキビ跡等をカバーする化粧を行い、同じ利用者が使用を継続する。その後、旅行等において、他の利用者が使用する場合、スペアとして持参した塗布棒５を差し替え使用することができる。したがって、他の利用者は躊躇なく同じ化粧品であるコンシーラ１を使用することができる。また、他人の使用に限らず、同じ利用者が使用を継続した場合でも、先端の塗布部６の劣化等により化粧し辛くなった場合でも使い捨ての塗布棒５を差し替えて使用することができる。
【００１８】
（第２の実施形態）
次に、本発明の第２の実施形態について説明する。
図４は本実施形態の化粧品塗布器が化粧品ユニットに取り付けられたアイシャドウの例を示す。アイシャドウは目の周辺に使用する化粧品であり、本例のアイシャドウはパウダータイプの化粧剤を使用するものである。同図に示すように、本例のアイシャドウ１０はキャップ（蓋）１１と化粧品ユニット１２で構成されている。また、化粧品ユニット１２は後述する図５に示すように、塗布器１３と化粧剤収納部１４で構成され、後述するように塗布器１３は化粧剤収納部１４に螺着されている。化粧剤収納部１４には目の周辺を化粧する化粧剤が収納されており、例えばマイカや、酸化チタン、合成金雲母、酸化スズ等を含む化粧剤が収納されている。
【００１９】
図５は化粧品ユニット１２からキャップ（蓋）１１を外した状態を示す図である。化粧品ユニット１２は上記のように塗布器１３と化粧剤収納部１４で構成され、化粧剤収納部１４に塗布器１３を螺着して取り付けられている。
【００２０】
図６は上記化粧品ユニット１１の模式図であり、上記のように化粧品ユニット１１は塗布器１３及び化粧剤収納部１４で構成され、化粧剤収納部１４には化粧剤１６が収納されている。また、化粧剤収納部１４には雌ねじ１７が形成され、後述する塗布器１３側に形成された雄ねじ１８と嵌合する構成である。さらに、化粧剤収納部１４には矢印方向に付勢力を有する蓋体１９が設けられ、塗布器１３を化粧剤収納部１４に取り付ける際、塗布器１３に設けられた凸部２０によって開放される構成である。
【００２１】
一方、塗布器１３には上記雄ねじ１８と凸部２０が形成され、更に塗布器１３の先端には塗布部２１が設けられている。この塗布部２１は、例えばラバースポンジや布、樹脂、紙等で構成され、パウダー状の化粧剤を効率よく通す構成である。化粧剤収納部１４への塗布器１３の取り付けは、上記塗布器１３に設けられた雄ねじ１８を化粧剤収納部１４に設けられた雌ねじ１７に螺込むことによって取り付ける。したがって、本例で使用する塗布器１３は化粧剤が収納された化粧剤収納部１４に対して着脱可能な構成であり、使い捨ての塗布器１３を複数用意することによって、複数人が同じアイシャドウを使用することが可能である。
【００２２】
例えば、新品のアイシャドウ１０を購入し、始めから取り付けられている塗布器１３を使用して化粧を行い、同じ利用者が使用を継続する。その後、旅行等において、他の利用者が使用する場合、スペアとして持参した塗布器１３を差し替え使用することができる。したがって、他の利用者は躊躇なく同じ化粧品であるアイシャドウ１０を使用することができる。また、他人の使用に限らず、同じ利用者が使用を継続した場合でも、先端の塗布部２１の劣化等により化粧し辛くなった場合には使い捨ての塗布器１３を差し替えて使用することができる
【００２３】
また、本例の場合、塗布器１３を交換する際、化粧剤収納部１４に設けられた蓋体１９への凸部２０の嵌合が外れる為、必ず蓋体１９が閉まり、化粧剤収納部に収納されている化粧剤が漏れることはない。
【００２４】
（第３の実施形態）
次に、本発明の第３の実施形態について説明する。
図７は本実施形態の化粧品塗布器が化粧品ユニットに取り付けられたエリアマットティークスの例を示す。エリアマットティークスは頬の化粧に使用する、所謂頬紅であり、本例のエリアマットティークスはパウダータイプの化粧剤を使用するものである。
【００２５】
同図に示すように、本例のエリアマットティークス２３はキャップ（蓋）２４と化粧品ユニット２５で構成されている。また、化粧品ユニット２５は後述する図８に示すように、塗布器２６と化粧剤収納部２７で構成され、後述するように塗布器２６は化粧剤収納部２７に圧入されている。化粧剤収納部２７には頬を化粧する化粧剤が収納されており、例えばマイカや、ステアリン酸亜鉛、酸化鉄、クロルフェネジン等を含む化粧剤が収納されている。
【００２６】
図８は化粧品ユニット２５からキャップ（蓋）２４を取り外した状態を示す図である。化粧品ユニット２５は上記のように塗布器２６と化粧剤収納部２７で構成され、化粧剤収納部２７に後述する塗布器２６の基材を圧入して取り付けられている。
【００２７】
図９は上記化粧品ユニット２５の模式図であり、上記のように化粧品ユニット２５は塗布器２６及び化粧剤収納部２７で構成され、化粧剤収納部２７には化粧剤２８が収納されている。また、化粧剤収納部２７の先端部２７ａの内径は、化粧剤収納部２７の他の部分の内径より狭く形成され、例えば先端部２７ａの内径がＬ３に形成されている。
【００２８】
一方、塗布器２６は基材３０と、基材３０に取り付けられた塗布部３１で構成されている。基材３０に取り付けられた塗布部３１は、例えばラバースポンジや布、樹脂、紙等で構成され、パウダー状の化粧剤（頬紅）を効率よく通す構成である。ここで、基材３０の外径Ｌ４は上記化粧剤収納部２７の先端部２７ａの内径Ｌ３より少し広く形成されている。したがって、化粧剤収納部２７への塗布器２６の取り付けは、上記塗布器２６の基材３０を化粧剤収納部２７の先端部２７ａに押し込むことによって取り付けることができる。したがって、本例で使用する塗布器２６は化粧剤が収納された化粧剤収納部２７に対して着脱可能な構成であり、使い捨ての塗布器２６を複数用意することによって、複数人が同じエリアマットティークス２３を使用することが可能である。
【００２９】
例えば、新品のエリアマットティークス２３を購入し、始めから取り付けられている塗布器２６を使用して頬紅を塗り、同じ利用者が使用を継続する。その後、旅行等において、他の利用者が使用する場合、スペアとして持参した塗布器２６を差し替え使用することができる。したがって、他の利用者は躊躇なく同じ化粧品であるエリアマットティークス２３を使用することができる。また、他人の使用に限らず、同じ利用者が使用を継続した場合でも、先端の塗布部３１の劣化等により化粧し辛くなった場合には使い捨ての塗布器２６を差し替えて使用することができる
【００３０】
このような構成により、例えば旅行等において、交換用の塗布器を複数携帯することによって、同じ化粧品を他の人が利用することができ、極めて利便性のある化粧品塗布器を実現することができる。
【符号の説明】
【００３１】
１・・・コンシーラ
２・・・塗布器
３・・・化粧剤収納部
４・・・取手
４´・・凹部
５・・・塗布棒
６・・・塗布部
８・・・雌ねじ
９・・・雄ねじ
１０・・アイシャドウ
１１・・キャップ（蓋）
１２・・化粧品ユニット
１３・・塗布器
１４・・化粧剤収納部
１６・・雌ねじ
１７・・雄ねじ
１９・・蓋体
２０・・凸部
２１・・塗布部
２３・・エリアマットティークス
２４・・キャップ（蓋）
２５・・化粧品ユニット
２６・・塗布器
２７・・化粧剤収納部
２７ａ・・先端部
２８・・化粧剤
３０・・基材
【図１】
2014180507.tif 000003
【図２】
2014180507.tif 000004
【図３】
2014180507.tif 000005
【図４】
2014180507.tif 000006
【図５】
2014180507.tif 000007
【図６】
2014180507.tif 000008
【図７】
2014180507.tif 000009
【図８】
2014180507.tif 000010
【図９】
2014180507.tif 000011